(57)【要約】【課題】送信系及び又は受信系のスイッチングダイオードを削除して、部品点数の削減とコストダウンを図ること。【解決手段】信号入出力端１に対して受信回路１０及び送信回路２０が並列に接続され、受信回路１０側にはλ／４のストリップライン１１及びスイッチングダイオード１６を設け、送信回路２０側にはオフ時のインピーダンスを高インピーダンス化するストリップライン２１を設ける。ストリップライン２１は、分岐点Ｐ側から見たストリップライン２１とオフ状態でのＰＡ２２との接続回路のインピーダンスがオープン状態とみなされる高インピーダンス状態となるようにストリップライン２１を設定する。【選択図】図１
2008072475.tif 000002
【特許請求の範囲】
【請求項１】
アンテナが接続されたアンテナ端子と、前記アンテナ端子と当該アンテナ端子に接続された第一の回路との間に挿入された第一のストリップラインと、前記アンテナ端子と当該アンテナ端子に対して前記第一の回路と並列に接続された第二の回路との間に挿入された第二のストリップラインとを備え、
前記アンテナ端子から見た前記第一のストリップラインと非動作状態での前記第一の回路との接続回路のインピーダンスがオープン状態とみなされる高インピーダンス状態となるように前記第一のストリップラインを設定したことを特徴とするアンテナスイッチ回路。
【請求項２】
前記アンテナ端子から見た前記第一のストリップラインと動作状態での前記第一の回路との接続回路のインピーダンスが電力損失を抑えた所望のインピーダンスに整合するように前記第一のストリップラインを設定したことを特徴とする請求項１記載のアンテナスイッチ回路。
【請求項３】
前記アンテナ端子から見た前記第二のストリップラインと非動作状態での前記第二の回路との接続回路のインピーダンスがオープン状態とみなされる高インピーダンス状態となる一方、前記アンテナ端子から見た前記第二のストリップラインと動作状態での前記第二の回路との接続回路のインピーダンスが電力損失を抑えた所望のインピーダンスに整合するように、前記第二のストリップラインを設定したことを特徴とする請求項１又は請求項２記載のアンテナスイッチ回路。
【請求項４】
前記第一の回路は送信回路であり、前記第二の回路は受信回路であることを特徴とする請求項１から請求項３の何れかに記載のアンテナスイッチ回路。
【請求項５】
前記第二のストリップラインの一端と前記第二の回路との間の信号線路に接続され前記第一及び第二の回路を切り替えるための切替信号が供給される切替端子と、前記第二のストリップラインの一端とグラウンドとの間に設けられ前記第二の回路の非動作時に前記切替端子に供給されるハイレベルの切替信号により導通するスイッチングダイオードとを備え、前記第二のストリップラインの線路長をλ／４としたことを特徴とする請求項４記載のアンテナスイッチ回路。
【発明の詳細な説明】
【技術分野】
【０００１】
本発明は、各種無線通信装置においてアンテナに接続する回路を切替えるためのアンテナスイッチ回路に関する。
【背景技術】
【０００２】
従来、移動体通信装置などにおいて、送信回路とアンテナとの接続及び受信回路とアンテナとの接続を切り換えるためにアンテナスイッチ回路が用いられており、送信信号の漏れを少なくしたアンテナスイッチ回路が提案されている（例えば、特許文献１参照）。
【０００３】
図１３は、特許文献１記載のアンテナスイッチ回路の回路構成図である。アンテナスイッチ回路１００、アンテナ端子Ａｎｔ、送信端子Ｔｘ及び受信端子Ｒｘを有しており、送信端子Ｔｘとアンテナ端子Ａｎｔとの間に第１のスイッチングダイオードＤ１が配置され、アンテナ端子Ａｎｔと受信端子Ｒｘとの間に第１のストリップラインＳＬ１が配置されている。第１のストリップラインＳＬ１は送信信号の通信周波数の概略１／４波長の長さに相当する線路長に設定されている。また、第１のストリップラインＳＬ１の受信端子Ｒｘ側端部Ｂ点とグランドとの間に、第２のスイッチングダイオードＤ２が直流成分遮断用のバイパスコンデンサである第１のコンデンサＣ１を介して配置されている。制御端子Ｖｃは、送信端子Ｔｘと第１のスイッチングダイオードＤ１との間に配置され、第１、第２のスイッチングダイオードをオン・オフさせる制御電圧が供給される。制御電圧接地回路１０１は、抵抗Ｒ１と、第２のコンデンサＣ２と、第２のストリップラインＳＬ２とからなり、第２のスイッチングダイオードＤ２と第１のコンデンサＣ１との接続点Ｃ点に接続される。第２のコンデンサＣ２及び第２のストリップラインＳＬ２は、グランドに接続され、制御端子Ｖｃに印加された送受信を切り替える制御電圧は、この回路によって接地されることとなる。
【０００４】
上述したアンテナスイッチ回路１００は、制御端子Ｖｃに電圧を印加することによって、スイッチングダイオードＤ１、Ｄ２をオン・オフし、送受信信号を切り換える回路として機能する。このアンテナスイッチ回路１００では、制御電圧接地回路１０１における抵抗Ｒ１が、第２のストリップラインＳＬ２を介してグランドに接続されていることにより、第２のストリップラインＳＬ２が制御電圧接地回路１０１のインピーダンスを高くするので、第１のストリップラインＳＬ１の受信端子側端部Ｂ点において、第２のスイッチングダイオードＤ２と第１のコンデンサＣ１による直列共振によって、インピーダンが極小となる。従って、第１のストリップラインＳＬ１の共振時に、第１のストリップラインＳＬ１のアンテナ端子Ａｎｔ側端部Ａ点のインピーダンスが極大となり、送信信号の漏れを少なくすることができる。
【特許文献１】特開２００４−１２０６４７号公報
【発明の開示】
【発明が解決しようとする課題】
【０００５】
しかしながら、従来のアンテナスイッチ回路は、送信系及び受信系の双方にスイッチングダイオードＤ１、Ｄ２を備える必要があるため、回路素子数が増大すると共にコストが高くなるという問題がある。
【０００６】
本発明は、送信系の損失悪化を抑制した上で送信系のスイッチングダイオードを削除することができ、部品点数の削減とコストダウンを図ることのできるアンテナスイッチ回路を提供することを目的とする。
【０００７】
また本発明は、送信系及び受信系のスイッチングダイオードをそれぞれ削除することができ、部品点数の削減とコストダウンを図ることのできるアンテナスイッチ回路を提供することを目的とする。
【課題を解決するための手段】
【０００８】
本発明のアンテナスイッチ回路は、アンテナが接続されたアンテナ端子と、前記アンテナ端子と当該アンテナ端子に接続された第一の回路との間に挿入された第一のストリップラインと、前記アンテナ端子と当該アンテナ端子に対して前記第一の回路と並列に接続された第二の回路との間に挿入された第二のストリップラインとを備え、前記アンテナ端子から見た前記第一のストリップラインと非動作状態での前記第一の回路との接続回路のインピーダンスがオープン状態とみなされる高インピーダンス状態となるように前記第一のストリップラインを設定したことを特徴とする。
【０００９】
この構成によれば、第二の回路を動作状態とし、かつ第一の回路を非動作状態とした時に、アンテナ端子から見た第一のストリップラインと第一の回路との接続回路のインピーダンスがオープン状態とみなされる高インピーダンス状態となるので、アンテナ端子と第一の回路との間にスイッチングダイオードを設けること無く、例えばアンテナから第二の回路へ入力すべき受信信号又は第二の回路からアンテナへ送出すべき送信信号の第二の回路への漏れ（電力損失）を抑制することができ、少なくとも１つのスイッチングダイオードを削減できる。
【００１０】
また本発明は、上記アンテナスイッチ回路において、前記アンテナ端子から見た前記第一のストリップラインと動作状態での前記第一の回路との接続回路のインピーダンスが電力損失を抑えた所望のインピーダンスに整合するように前記第一のストリップラインを設定したことを特徴とする。
【００１１】
この構成により、第一の回路の非動作時には第一の回路側を高インピーダンス状態にすることができると共に、第一の回路の動作時には第一の回路側を電力損失を抑えた所望のインピーダンスに整合させることができるので、第一の回路の動作状態のオン／オフによって高インピーダンス状態と電力損失の少ないインピーダンス整合状態とを作り出すことができ、切替信号を供給することなく第一の回路の動作状態のオン／オフによって動作モードの切替が可能になる。
【００１２】
また本発明は、上記アンテナスイッチ回路において、前記アンテナ端子から見た前記第二のストリップラインと非動作状態での前記第二の回路との接続回路のインピーダンスがオープン状態とみなされる高インピーダンス状態となる一方、前記アンテナ端子から見た前記第二のストリップラインと動作状態での前記第二の回路との接続回路のインピーダンスが電力損失を抑えた所望のインピーダンスに整合するように、前記第二のストリップラインを設定したことを特徴とする。
【００１３】
この構成により、第一の回路を動作状態とし、かつ第二の回路を非動作状態とした時に、アンテナ端子から見た第二のストリップラインと第二の回路との接続回路のインピーダンスがオープン状態とみなされる高インピーダンス状態となるので、アンテナ端子と第二の回路との間にスイッチングダイオードを設けること無く、例えばアンテナから第一の回路へ入力すべき受信信号又は第一の回路からアンテナへ送出すべき送信信号の第一の回路への漏れ（電力損失）を抑制することができ、双方のスイッチングダイオードを削減できる。
【発明の効果】
【００１４】
本発明によれば、送信系及び又は受信系のスイッチングダイオードを削除することができ、部品点数の削減とコストダウンを図ることができる。
【発明を実施するための最良の形態】
【００１５】
以下、本発明の実施の形態について添付図面を参照して詳細に説明する。
（第１の実施の形態）
第１の実施の形態は、送信系のスイッチングダイオードを削除したアンテナスイッチ回路の例である。図１は第１の実施の形態に係るアンテナスイッチ回路の回路図である。アンテナ端子となる信号入出力端１は図示しないアンテナに接続され、バンドパスフィルタ（ＢＰＦ）２及び直流カットコンデンサ３を介して第二の回路となる受信回路１０及び第一の回路となる送信回路２０の分岐点Ｐに接続される。
【００１６】
分岐点Ｐに接続された受信回路１０は、第二のストリップラインとしてのストリップライン１１を経由してローノイズアンプ（ＬＮＡ）１２が接続され、さらに図示しない周波数変換回路を構成する混合器が接続されている。ＬＮＡ１２は、例えばトランジスタで構成されていて、ベースにはストリップライン１１の一端が接続され、コレクタに混合器が接続され、エミッタがグラウンドに接続される。さらに、ＬＮＡ１２のコレクタに信号線路１３を経由してバイアス電圧が印加される。
【００１７】
また、送受信切替端子１４に送受信選択信号が供給される。送受信選択信号は、受信時にローレベルとなり送信時にハイレベルとなるように制御される。送受信切替端子１４はインダクタ１５を介してスイッチングダイオード１６のアノードに接続されている。スイッチングダイオード１６のアノードはストリップライン１１の一端にも接続されており、スイッチングダイオード１６のカソードはグラウンドに接続されている。ここで、ストリップライン１１は送信信号の周波数に対して１／４波長の長さを有している。したがって、スイッチングダイオード１６がオンすると、アンテナ側から見た受信系はλ／４のショートスタブを構成しインピーダンス無限大となる。
【００１８】
一方、分岐点Ｐに接続された送信回路２０は、第一のストリップラインとしてのストリップライン２１を経由して電力増幅器（ＰＡ）２２が接続され、さらに図示しない変調器が接続されている。ＰＡ２２は、例えばトランジスタで構成されており、ベースには変調器から変調信号が印加され、コレクタには信号線路２３を経由して送信電力用のバイアス電圧が印加され、エミッタはグラウンドに接続されている。
【００１９】
本実施の形態では、送信回路２０においてストリップライン２１及びＰＡ２２にてλ／４ショートスタブに近い高インピーダンスを実現することで、送信回路２０からスイッチングダイオードを排除可能にした。具体的には、ストリップライン２１の線路長を合わせ込むことにより、受信モード時におけるストリップライン２１及びＰＡ２２の出力インピーダンスがλ／４ショートスタブに近い高インピーダンスとなるように設定している。なお、ストリップライン２１の寸法（線路長、幅）だけで調整仕切れない部分は、コンデンサ等を付加して調整しても良い。
【００２０】
送信モードでは、受信回路１０の受信経路を遮断して送信信号の電力損失を抑制した状態で、送信回路２０から送出した送信信号を分岐点ＰからＢＰＦ２及び信号入出力端１を経由してアンテナへ供給する。
【００２１】
送信モードにおいては、切替端子１４にハイレベルの送受信選択信号が供給される。ハイレベルの送受信選択信号によりスイッチングダイオード１６がオンすることで、分岐点Ｐから見た受信回路１０は、図２（ａ）に示すようにλ／４ショートスタブとなり、高インピーダンスとなるので、送信回路２０から受信回路１０への送信信号の漏れ込みを遮断することができる。
【００２２】
受信モードでは、送信回路２０の送信経路を遮断して受信信号の電力損失を抑制した状態で、アンテナから出力される受信信号を分岐点Ｐから受信回路１０へ入力する。従来回路（図１３）では送信系に設けたスイッチングダイオードをオフさせることで高インピーダンス状態としているが、本実施の形態ではスイッチングダイオードを削除しているのでストリップライン２１及びＰＡ２２の出力インピーダンスにて同様の高インピーダンス状態を作り出している。
【００２３】
受信モードにおいて、切替端子１４にローレベルの送受信選択信号が供給される。ローレベルの送受信選択信号によりスイッチングダイオード１６がオフする。このとき、送信回路２０のＰＡ２２はオフ状態である。ＰＡ２２のコレクタのインピーダンスは、ベース−コレクタ間に逆バイアスが掛かっているＰＡオン時に対して、ベース−コレクタ間はゼロバイアスに近い状態にて低インピーダンスとなる。したがって、図２（ｂ）に示すように、受信モード時に送信回路２０はＰＡ２２を介して接地された状態となる。よって、ストリップライン２１の線路超並びに及びストリップライン２１及びＰＡ２２のインピーダンスを調整することで、送信モード時の受信回路１０と同様に送信回路２０においてストリップライン２１及びＰＡ２２でλ／４ショートスタブに近似した高インピーダンス状態を実現することができる。
【００２４】
このように、受信モード時において送信回路２０は、ストリップライン２１及びＰＡ２２でλ／４ショートスタブに近似した高インピーダンス状態となるので、スイッチングダイオードを設けて遮断することなく、分岐点Ｐから送信回路２０へ流れ込む受信信号を遮断することができる。
【００２５】
送信回路２０においてストリップライン２１及びＰＡ２２でλ／４ショートスタブに近似した高インピーダンス状態を実現できることについて、以下のシミュレーションにて検証した。
【００２６】
図３（ａ）はＰＡとストリップラインの直列回路からなるシミュレーションモデルを示す。ＰＡは本実施の形態と同様に３ポートであり、ストリップラインは幅＝０．１ｍｍ、長さ＝１３．５ｍｍの寸法に設定している。ストリップラインの寸法は、所望のインピーダンス特性となるように選定する。図３（ｂ）は比較例のためのＰＡの単品回路である。
【００２７】
図４（ａ）は図３（ａ）に示すシミュレーションモデルに関する送信モード時のシミュレーション結果を示す図である。送信モードでは、送信回路２０はインピーダンス整合が取れている必要があるが、同図に示すように特定周波数（５．８ＧＨｚ）に対して５０Ωに整合している。すなわち、ストリップライン２１を追加してもＰＡ２２がオンする送信モード時にはインピーダンス整合が取れていることが判る。
【００２８】
図４（ｂ）は図３（ａ）に示すシミュレーションモデルに関する受信モード時のシミュレーション結果を示す図である。受信モードでは、特定周波数（５．８ＧＨｚ）に対してＰＡがオフしたことにより出力インピーダンスが高インピーダンスに変化していることが判る。特定周波数（５．８ＧＨｚ）において図４（ｂ）に示す高インピーダンスを実現できれば、送信回路２０の遮断効果としては十分である。
【００２９】
図５（ａ）は図３（ａ）の比較例に関する送信モード時のシミュレーション結果を示す図であり、同図（ｂ）は同比較例に関する受信モード時のシミュレーション結果を示す図である。図５（ａ）に示すように、ＰＡオン時に特定周波数（５．８ＧＨｚ）に対して５０Ωに整合するように設定した場合、図５（ｂ）に示すようにＰＡオフ時の出力インピーダンスはある程度は高い状態であるが、図４（ｂ）に比べるとやや低下していることが判る。よって、送信回路２０にストリップライン２１を設けて望ましい寸法に設定することはＰＡオフ時の出力インピーダンスを高インピーダンス状態とすることが検証された。
【００３０】
（第２の実施の形態）
本発明の第２の実施の形態は、送信系及び受信系の双方からスイッチングダイオードを削除してＬＮＡ及びＰＡのオン／オフだけで送受信を切り替え可能にしたアンテナスイッチ回路の例である。
【００３１】
図６は第２の実施の形態に係るアンテナスイッチ回路の回路図である。なお、上記第１の実施の形態と同一構成要素には同一符号を付して説明の重複を避ける。同図に示すように、分岐点ＰとＬＮＡ１２のベースとの間にストリップライン３１を直列に設けている。ストリップライン３１は、ＬＮＡ１２がオフする送信モードのときにアンテナ側（分岐点Ｐ）から見た受信回路１０のインピーダンスが高インピーダンスとなるように寸法が設定されている。
【００３２】
ＬＮＡ１２は、ＬＮＡオフ時の入力インピーダンスが低インピーダンスであるので、ストリップライン３１の寸法を合わせ込んで、第１の実施の形態における送信回路２０と同様のオフ時の高インピーダンス化を期待することができる。
【００３３】
図７はＬＮＡ１２をオン／オフさせた時の受信回路１０のインピーダンス変化をシミュレーションするためのシミュレーションモデルである。ストリップライン３１は、幅＝０．１ｍｍ、長さ＝６ｍｍの寸法に設定している。ストリップライン３１の寸法は、ＬＮＡ１２オン時には受信回路１０のインピーダンスが所定値（シミュレーションでは５０Ω）に整合し、ＬＮＡ１２オフ時には受信回路１０のインピーダンスが可能な限り大きくなるような値を選択することが望ましい。
【００３４】
図７のシミュレーションモデルにおいてＬＮＡ１２をオンした場合のインピーダンス変化を図８（ａ）に示し、ＬＮＡ１２をオフした場合のインピーダンス変化を図８（ｂ）に示す。ＬＮＡ１２をオンした場合、すなわち受信モードの場合は図８（ａ）に示すように受信回路１０のインピーダンスが５０Ωに整合するように調整されている。そして、ＬＮＡ１２をオフした場合、すなわち送信モードの場合は図８（ｂ）に示すように受信回路１０のインピーダンスが高インピーダンス側へシフトしていることが判る。
【００３５】
このように、受信回路１０にスイッチングダイオードを設けなくても、ＬＮＡ１２をオフすることでアンテナ側（分岐点Ｐ）から見た受信回路１０のインピーダンスを高インピーダンス状態にすることが可能である。
【００３６】
図９は第２の実施の形態の全体回路に対応したシミュレーションモデルを示している。受信回路１０のストリップライン３１は幅＝０．１ｍｍ、長さ＝６ｍｍの寸法に設定し、送信回路２０のストリップライン２１は幅＝０．１ｍｍ、長さ＝１３．５ｍｍの寸法に設定している。
【００３７】
図１０（ａ）は図９のシミュレーションモデルにおいてＬＮＡ１２がオンしてＰＡ２２がオフする受信モードでの伝送特性を示している。特定周波数（５．８ＧＨｚ）における受信回路１０側の伝送特性（ＲＸ）は１０ｄＢ程度のゲインを確保できていると共に送信回路２０とは−１４ｄＢ程度のアイソレーションが取れている。図１０（ｂ）は図９のシミュレーションモデルにおいてＬＮＡ１２がオフしてＰＡ２２がオンする送信モードでの伝送特性を示している。特定周波数（５．８ＧＨｚ）における送信回路２０側の伝送特性（ＴＸ）はやはり１０ｄＢ程度のゲインを確保できていると共に受信回路１０とは−１５ｄＢ程度のアイソレーションが取れている。
【００３８】
このように、受信回路１０、送信回路２０の双方のラインに、オフ時のインピーダンスを高めるためのストリップライン３１，２１を挿入したことにより、特定周波数（５．８ＧＨｚ）のオフ時のアイソレーションは受信側、送信側それぞれ−１４ｄＢ、−１５ｄＢ程度であり、スイッチングダイオードを設けた場合に比べて多少はアイソレーションが劣化するものの、それぞれのオン時のゲインは０．５ｄＢ程度の劣化に抑えられており、オフ側の回路（受信回路１０又は送信回路２０）の高インピーダンス化が図られていることが判る。
【００３９】
なお、図５（ｂ）に示すようにＰＡ２２単体でのオフ時における出力インピーダンスはもともと高い傾向にあるため、オフ時の高インピーダンス化を図るためのストリップライン２１を挿入しなくても、オン側回路からみた影響（ロス）は少ないと考えられる。
【００４０】
そこで、図１１に示すように送信系１０からはストリップラインを削除し、受信系２０にだけオフ時の高インピーダンス化を図るためのストリップライン３１を挿入した構成としてもある程度の性能を実現できる。
【００４１】
図１２（ａ）は図１１に示すシミュレーションモデルにおいてＬＮＡ１２がオンしてＰＡ２２がオフする受信モードでの伝送特性を示し、図１２（ｂ）はＬＮＡ１２がオフしてＰＡ２２がオンする送信モードでの伝送特性を示している。同図に示す通り、特定周波数（５．８ＧＨｚ）におけるオフ時のアイソレーションは、受信回路１０、送信回路２０それぞれ−１３ｄＢ、−１５ｄＢ程度であり、オン時のゲインはスイッチングダイオードを設けた場合に比べて０．３ｄＢ程度低下する。オン時のゲイン低下がある程度許容される用途であれば実用化可能である。
【００４２】
また、以上の説明では受信回路１０にはトランジスタで構成されるＬＮＡ１２を設け、送信回路２０にはトランジスタで構成されるＰＡ２２を設けているが、その他の増幅器であってもストリップラインとの組み合わせでオフ時の高インピーダンス化が可能であれば利用することができる。また、アンテナ端子に接続される回路は受信回路１０、送信回路２０に限定されるものではなく、アンテナ端子に並列接続されて切り替え対象となる回路であれば適用可能である。
【産業上の利用可能性】
【００４３】
本発明は、アンテナ端子に対して複数の回路が並列に接続されるアンテナスイッチ回路に適用可能である。
【図面の簡単な説明】
【００４４】
【図１】第１の実施の形態に係るアンテナスイッチ回路の構成図
【図２】（ａ）は第１の実施の形態において送信モード時の等価回路図、（ｂ）は第１の実施の形態において受信モード時の等価回路図
【図３】（ａ）はＰＡとストリップラインを組み合わせたシミュレーションモデルを示す図、（ｂ）はＰＡ単品でのシミュレーションモデルを示す図
【図４】（ａ）は図３（ａ）のシミュレーションモデルでのＰＡオンでのインピーダンス特性を示す図、（ｂ）は同シミュレーションモデルでのＰＡオフでのインピーダンス特性を示す図
【図５】（ａ）は図３（ｂ）のシミュレーションモデルでのＰＡオンでのインピーダンス特性を示す図、（ｂ）は同シミュレーションモデルでのＰＡオフでのインピーダンス特性を示す図
【図６】第２の実施の形態に係るアンテナスイッチ回路の構成図
【図７】ＬＮＡとストリップラインを組み合わせたシミュレーションモデルを示す図
【図８】（ａ）は図７のシミュレーションモデルでのＬＮＡオンでのインピーダンス特性を示す図、（ｂ）は同シミュレーションモデルでのＬＮＡオフでのインピーダンス特性を示す図
【図９】第２の実施の形態に係るアンテナスイッチ回路全体のシミュレーションモデルを示す図
【図１０】（ａ）は図９のシミュレーションモデルにおいて受信モードでの伝送特性を示す図、（ｂ）は同シミュレーションモデルにおいて送信モードでの伝送特性を示す図
【図１１】受信系にのみストリップラインを挿入した変形例のシミュレーションモデルを示す図
【図１２】（ａ）は図１１のシミュレーションモデルにおいて受信モードでの伝送特性を示す図、（ｂ）は同シミュレーションモデルにおいて送信モードでの伝送特性を示す図
【図１３】従来のアンテナスイッチ回路の構成図
【符号の説明】
【００４５】
１…信号入出力端、２…バンドパスフィルタ（ＢＰＦ）、３…直流カットコンデンサ、１０…受信回路、１１…ストリップライン（λ／４）、１２…ローノイズアンプ（ＬＮＡ）、１３…信号線路、１４…送受信切替端子、１５…インダクタ、１６…スイッチングダイオード、２０…送信回路、２１…ストリップライン（送信側）、２２…電力増幅器（ＰＡ）、２３…信号線路、３１…ストリップライン（受信側）
【図１】
2008072475.tif 000003
【図２】
2008072475.tif 000004
【図３】
2008072475.tif 000005
【図４】
2008072475.tif 000006
【図５】
2008072475.tif 000007
【図６】
2008072475.tif 000008
【図７】
2008072475.tif 000009
【図８】
2008072475.tif 000010
【図９】
2008072475.tif 000011
【図１０】
2008072475.tif 000012
【図１１】
2008072475.tif 000013
【図１２】
2008072475.tif 000014
【図１３】
2008072475.tif 000015